(57)【要約】【課題】電力量計の端子部の露出量を減少し且つ作業の度の着脱が不要な端子被覆カバーを提供する。【解決手段】本発明の端子被覆カバー１０は、電力量を計量する計量装置２、前記計量装置２から延びる端子台取付部２Ｃに取付ネジ３Ａにより取り付けられるとともに複数の端子部５が並べられた端子台３、及び、前記端子台３の前面に着脱可能に配置される通信装置４、を有する電力量計１に装着される端子被覆カバー１０であって、前記端子部５それぞれの少なくとも一部を被覆するように前記端子部５に渡って延びる帯状部１１と、前記帯状部１１から前記端子台取付部２Ｃ上へ延びる固定部１２とを備え、前記取付ネジ３Ａを用いて前記固定部１２を前記端子台取付部２Ｃに固定することにより、前記電力量計１に装着され、前記電力量計１に装着された状態で、前記端子台３の前記前面に対して前記通信装置４を着脱することが可能である。【選択図】図４
2020201214.tif 000002
【特許請求の範囲】
【請求項１】
電力量を計量する計量装置、前記計量装置から延びる端子台取付部に取付ネジにより取り付けられるとともに複数の端子部が並べられた端子台、及び、前記端子台の前面に着脱可能に配置される通信装置、を有する電力量計に装着される端子被覆カバーであって、
前記端子部それぞれの少なくとも一部を被覆するように前記端子部に渡って延びる帯状部と、
前記帯状部から前記端子台取付部上へ延びる固定部とを備え、
前記取付ネジを用いて前記固定部を前記端子台取付部に固定することにより、前記電力量計に装着され、前記電力量計に装着された状態で、前記端子台の前記前面に対して前記通信装置を着脱することが可能な端子被覆カバー。
【請求項２】
前記端子部は、計量装置側ネジ挿入部と、電気ケーブル側ネジ挿入部と、前記計量装置側ネジ挿入部と前記電気ケーブル側ネジ挿入部とを接続する接続部とを備え、
前記帯状部は、前記端子部の少なくとも前記接続部を被覆するように前記端子部に渡って延びる、
請求項１に記載の端子被覆カバー。
【請求項３】
前記帯状部は、２枚の板状部と前記２枚の板状部の間に取り付けられた蝶番部とを備え、前記帯状部は、前記蝶番部を中心にして互いに回動可能な、
請求項１または２に記載の端子被覆カバー。
【請求項４】
前記帯状部は、前記端子部における被覆領域を変更可能な、
請求項１から３のいずれか１項に記載の端子被覆カバー。
【発明の詳細な説明】
【技術分野】
【０００１】
本発明は、スマートメータ（電力量計）の端子部に取り付けられる端子被覆カバーに関する。
【背景技術】
【０００２】
電力を計量するスマートメータ（電力量計）は、電気ケーブルを接続するための端子部が複数並んで取り付けられた端子台を備える。それぞれの端子部の一方は需要家宅からの電気ケーブルに接続され、他方は電力量を計量する計量装置に接続されている。電気ケーブルは、端子部にネジによって固定されている。電気ケーブルを端子部に接続する作業はネジを締め付けることによって行われ、電気ケーブルを端子部から取り外す作業は、ネジを緩めることによって行われる。
しかしながら、端子部の全面が露出した状態で作業を行うと、作業中に、ある端子のネジが隣の端子のネジに接触することで短絡が生じる可能性が高くなる。短絡が生じると、急な停電が発生する。また、誤って端子部に触れると感電する。
このため、スマートメータに取り付けている電気ケーブルの着脱作業を行う際には、短絡防止のために、「スマートメータ用短絡防止具」が取り付けられている（例えば特許文献１参照）。
【先行技術文献】
【特許文献】
【０００３】
【特許文献１】特開２０１８−２０６７２０号公報
【発明の概要】
【発明が解決しようとする課題】
【０００４】
しかし、従来の「スマートメータ用短絡防止具」は、電気ケーブルの着脱作業の都度、着脱を行うものであり、手間がかかる。また、作業中に誤って「スマートメータ用短絡防止具」が脱落して、端子部が広範囲に露出した状態になる可能性もある。
【０００５】
本発明は、スマートメータの端子部の露出量を減少し且つ作業の度の着脱が不要な端子被覆カバーを提供することを目的とする。
【課題を解決するための手段】
【０００６】
上記課題を解決するために、本発明の端子被覆カバーは、電力量を計量する計量装置、前記計量装置から延びる端子台取付部に取付ネジにより取り付けられるとともに複数の端子部が並べられた端子台、及び、前記端子台の前面に着脱可能に配置される通信装置、を有する電力量計に装着される端子被覆カバーであって、前記端子部それぞれの少なくとも一部を被覆するように前記端子部に渡って延びる帯状部と、前記帯状部から前記端子台取付部上へ延びる固定部とを備え、前記取付ネジを用いて前記固定部を前記端子台取付部に固定することにより、前記電力量計に装着され、前記電力量計に装着された状態で、前記端子台の前記前面に対して前記通信装置を着脱することが可能である。
【０００７】
前記端子部は、計量装置側ネジ挿入部と、電気ケーブル側ネジ挿入部と、前記計量装置側ネジ挿入部と前記電気ケーブル側ネジ挿入部とを接続する接続部とを備え、前記帯状部は、前記端子部の少なくとも前記接続部を被覆するように前記端子部に渡って延びることが好ましい。
【０００８】
前記帯状部は、２枚の板状部と前記２枚の板状部の間に取り付けられた蝶番部とを備え、前記帯状部は、前記蝶番部を中心にして互いに回動可能であることが好ましい。
【０００９】
前記帯状部は、前記端子部における被覆領域を変更可能であってもよい。
【発明の効果】
【００１０】
本発明によれば、スマートメータの端子部の露出量を減少し且つ作業の度の着脱が不要な端子被覆カバーを提供することができる。
【図面の簡単な説明】
【００１１】
【図１】端子被覆カバー１０が装着されるスマートメータ１の正面図である。
【図２】図１の状態から通信装置４を取り外し、通信装置４を図中右側に保持した状態のスマートメータ１を示す図である。
【図３】第１実施形態の端子被覆カバー１０の斜視図である。
【図４】第１実施形態の端子被覆カバー１０を、保護カバー１Ａ及び通信装置４及びカバー部材７を取り外した状態のスマートメータ１に装着した状態を示す図である。
【図５】（ａ）、（ｂ）は端子被覆カバー１０の取り付け方法を説明する図である。
【図６】第２実施形態の端子被覆カバー１１０を説明する図である。
【発明を実施するための形態】
【００１２】
まず、端子被覆カバー１０が装着されるスマートメータ１について説明する。
図１は、端子被覆カバー１０が装着されるスマートメータ１の正面図である。スマートメータ１は、住居の壁部などに、図示する上下方向で取り付けられている。図１においてスマートメータ１は、図中右側に示す保護カバー１Ａが取り外された状態である。ただし、後述する電気ケーブル８の着脱作業時以外、保護カバー１Ａはスマートメータ１の正面下部に取り付けられている。
図２は、図１の状態から、以下で説明する通信装置４を取り外し、通信装置４を図中右側に保持した状態のスマートメータ１を示す図である。
【００１３】
（スマートメータ１）
スマートメータ１は、電力量を計量する計量装置２、計量装置２から下方に延びる端子台取付部２Ｃに取付ネジ３Ａにより取り付けられるとともに複数の端子部５が並べられた端子台３、端子台３の前面側に着脱可能な通信装置４を有し、通信装置４によって、計量した電力量をデジタル信号として発信することが可能である。
【００１４】
（端子台３）
端子台３は、矩形の板部材で、計量装置２から下方に延びる端子台取付部２Ｃに取付ネジ３Ａにより取り付けられている。端子台３には、上下に延び且つ互いに平行な複数の端子取付凹溝３Ｂが設けられている。
端子部５は上下に延びる細長い部材で、複数の端子取付凹溝３Ｂのそれぞれの内部に取り付けられている。端子部５は、上側に１つの穴が設けられた計量装置側ネジ挿入部５１、下側に２つの穴が設けられた電気ケーブル側ネジ挿入部５２、計量装置側ネジ挿入部５１と電気ケーブル側ネジ挿入部５２との間に、それらを互いに接続する接続部５３を備える。電気ケーブル側ネジ挿入部５２の下端には、電気ケーブル挿入孔５４が設けられている。
【００１５】
ぞれぞれの計量装置側ネジ挿入部５１の１つの穴には計量装置側ネジ６１が取り付けられ、計量装置２と端子部５とが電気的に接続されている。
それぞれの電気ケーブル側ネジ挿入部５２の２つの穴には、それぞれ電気ケーブル側ネジ６２が取り付けられている。電気ケーブル挿入孔５４に電気ケーブル８を挿入し、電気ケーブル側ネジ６２を締め付けることによって、電気ケーブル８が電気ケーブル挿入孔５４の内壁に押し付けられる。これにより、電気ケーブル８が端子部５に固定され、電気ケーブル８と端子部５と計量装置２とが電気的に接続される。
【００１６】
（計量装置２）
計量装置２は、端子台３に接続されたそれぞれの電気ケーブル８を流れる電流及び電圧に基づいて、電力量を計量する。計量装置２の下面における、図中左右両端側から下方に向かって、直方体状の端子台取付部２Ｃが延びている。端子台取付部２Ｃには、取付ネジ３Ａによって端子台３が取り付けられている。
【００１７】
（通信装置４）
通信装置４は、電力会社などの供給事業者と通信を実施する通信インタフェース装置であり、計量装置２で計量された電力量を供給事業者に送信する。
通信装置４は、背面に被係止部（図示せず）が設けられている。一方、計量装置２の下面には図２に示す係止部２Ｂが設けられている。被係止部を係止部２Ｂに係止させることにより、通信装置４は計量装置２の下部に取り付けることができ、また取り外すこともできる、すなわち、端子台３の前面の上部を覆った状態と開放した状態とを取ることができる。計量装置２と通信装置４とは、互いに通信可能にケーブル４Ａで接続されている。
【００１８】
通信装置４は、電気ケーブル８の端子部５への着脱作業が行われるとき以外は、端子台３の前面の上部に配置され、端子部５は、通信装置４と一体になった絶縁性のカバー部材７により覆われている。
電気ケーブル８の端子台３への着脱作業時において、通信装置４及びカバー部材７は、端子台３の前面から取り外される。そして通信装置４は、ケーブル４Ａと接続された状態で、計量装置２の側面の保持部２Ａに、図２で示すように保持される。
【００１９】
（作業時）
電気ケーブル８の端子部５への着脱作業が行われる際、作業者は保護カバー１Ａ及び通信装置４及びカバー部材７を、端子台３の前面から取り外す。そして、ドライバー等の工具を用いて電気ケーブル側ネジ６２を回転させる。このとき、緩められた電気ケーブル側ネジ６２や、その電気ケーブル側ネジ６２と接しているドライバー等が隣接する電気ケーブル側ネジ６２と接すると、短絡が生じる。本実施形態に係る端子被覆カバー１０は、このような短絡事故を防止するためにスマートメータ１に装着するカバーである。
【００２０】
（第１実施形態）
図３は、第１実施形態の端子被覆カバー１０の斜視図である。図４は、第１実施形態の端子被覆カバー１０を、保護カバー１Ａ及び通信装置４及びカバー部材７を取り外した状態のスマートメータ１に装着した状態を示す図である。図５（ａ）、（ｂ）は端子被覆カバー１０の取り付け方法を説明する図である。
【００２１】
（端子被覆カバー１０）
端子被覆カバー１０は、全体がプラスチックなどの絶縁材料で製造されている。端子被覆カバー１０は、端子部５それぞれの少なくとも一部を被覆するように端子部５に渡って延びる帯状部１１と、端子台取付部２Ｃ上を延びる固定部１２と、帯状部１１と固定部１２とを連結する側壁部１４を備える。端子被覆カバー１０は、固定部１２を取付ネジ３Ａを用いて端子台取付部２Ｃに固定することにより、スマートメータ１に装着される。
【００２２】
帯状部１１は、２枚の細長い矩形の板状部１１Ａ，１１Ｂと、２枚の板状部１１Ａ，１１Ｂの長手方向の一端を互いに回動可能に接続する蝶番部１３を備える。
側壁部１４は、板状部１１Ａ，１１Ｂの蝶番部１３によって接続されていない側の端部のそれぞれから、板状部１１Ａ，１１Ｂに対して直交する方向に延びる矩形部材である。
固定部１２は、それぞれの側壁部１４の端部から側壁部１４に対して直交する方向、すなわち板状部１１Ａ，１１Ｂと平行に延びる矩形部材である。
板状部１１Ａ，１１Ｂと側壁部１４の幅（上下方向の幅）は略等しい。固定部１２の幅（上下方向の幅）は、板状部１１Ａ，１１Ｂ及び側壁部１４の幅より長く、板状部１１Ａ，１１Ｂ及び側壁部１４よりも上方に突き出している。突き出した側の外側には、Ｕ字型の切り欠き１５が設けられている。固定部１２における、切り欠き１５が設けられている位置は、板状部１１Ａ，１１Ｂが端子部５における後述の接続部５３に配置されたときの、取付ネジ３Ａの位置に対応している。なお、固定部１２の板状部１１Ａ，１１Ｂに対する大きさや位置は、端子台取付部２Ｃにおける取付ネジ３Ａの位置と端子部５における後述の接続部５３の位置とにより異なる。
【００２３】
図５（ｂ）に示すように、蝶番部１３によって連結された２枚の板状部１１Ａ，１１Ｂを合わせた長手方向の長さＸ（図示するように前側の長さは側壁部１４の厚み分だけ短くなるため、後側の長さ）は、左右の端子台取付部２Ｃ間の距離と略等しい。
また、側壁部１４の前後の長さ（板状部１１Ａ，１１Ｂと固定部１２との間の距離）は、端子台取付部２Ｃの表面の、端子台３の表面からの距離Ｙと略等しい。
したがって、図５（ｂ）に示すように、蝶番部１３によって連結された２枚の板状部１１Ａ，１１Ｂが直線状に延びて（同一平面上を延びて）端子台３の前面に当接して配置されると、側壁部１４の外面が、端子台取付部２Ｃの内面に当接し、固定部１２は端子台取付部２Ｃの前面に当接する。
【００２４】
（取り付け方）
図５（ａ）に示すように、まず、取付ネジ３Ａを緩める。
次いで、端子被覆カバー１０を端子部５の接続部５３上に配置し、板状部１１Ａ，１１Ｂとの間の蝶番部１３が前側に突出した山形となるように、蝶番部１３により連結された板状部１１Ａ，１１Ｂとを互いを相対回転させる。そうすると、端子被覆カバー１０の固定部１２間の距離が狭くなる。この状態で、蝶番部１３が端子取付凹溝３Ｂのうちの１つの内部に入り込むようにして配置する。
そうすると、取付ネジ３Ａのネジ部の外周にＵ字の切り欠き１５の部分が差し込み易くなるので、取付ネジ３Ａのネジ部の外周にＵ字の切り欠き１５の部分を差し込む。
次いで、取付ネジ３Ａを締める。そうすると、端子台取付部２Ｃと取付ネジ３Ａの頭部との間に固定部１２が挟持される。
そうすると、板状部１１Ａ，１１Ｂが端子台３の表面と平行となり、且つこの表面と当接し、側壁部１４は端子台取付部２Ｃの内面と当接し、図５（ｂ）に示すように、端子被覆カバー１０は２つの端子台取付部２Ｃの間に略隙間なく嵌る。
【００２５】
（実施形態の端子被覆カバー１０の効果）
（１）電気ケーブル８の着脱作業を行う際、電気ケーブル側ネジ６２を緩めたり締めたりすることが必要である。端子部５が全て露出した状態でこのような電気ケーブル８の着脱作業を行うと、作業中に、例えば、緩めた電気ケーブル側ネジ６２が、隣の電気ケーブル側ネジ６２と接触して短絡が生じる可能性がある。短絡が生じると、急な停電が発生する可能性がある。また、全面が露出していると作業者が端子部５に触れて感電してしまう可能性が増大する。
しかし、実施形態の端子被覆カバー１０は、図４に示すように、板状部１１Ａ，１１Ｂ、すなわち帯状部１１が端子部５の接続部５３を覆っている。したがって、端子部５における露出箇所が少なくなる。ゆえに短絡の可能性が低減し、急な停電の発生、感電の可能性が低減する。
【００２６】
（２）また、実施形態の端子被覆カバー１０は、接続部５３を覆い、計量装置側ネジ６１及び電気ケーブル側ネジ６２を覆っていないので、端子被覆カバー１０を装着したままで電気ケーブル８の着脱作業を行うことができる。さらに、電気ケーブル８の取り付け作業後に、増し締め等による締め付け状態を確認する場合においても、端子被覆カバー１０を装着したままで行うことができる。
【００２７】
（３）実施形態で端子台取付部２Ｃは、端子台３の前面より前側に突出して配置されている。通信装置４及びカバー部材７は、２つの端子台取付部２Ｃの間に形成される凹部に配置されている。
実施形態で端子被覆カバー１０は、この２つの端子台取付部２Ｃの間の凹部の内面に沿って配置され、通信装置４及びカバー部材７を配置する凹部の形状は維持されているので、端子被覆カバー１０を配置した状態で、通信装置４及びカバー部材７を取り付けることができる。
ゆえに、端子被覆カバー１０は装着したままにしておくことができるので、作業の度の着脱が不要である。
【００２８】
（４）端子被覆カバー１０は、端子台取付部２Ｃに取り付けられる端子台３固定用の取付ネジ３Ａを兼用することで取り付けられるので、別途取り付け部材が不要である。また、ネジ留めするので端子被覆カバー１０の脱落が防止される。
【００２９】
（第２実施形態）
図６は第２実施形態の端子被覆カバー１１０を説明する図である。図示するように、端子被覆カバー１１０は、板状部１１１Ａ，１１１Ｂが上下方向に拡張可能な構造を有する。端子被覆カバー１１０のその他の構造やスマートメータ１は第１実施形態と同様であるので同様な部分には同一の符号を付し、その説明は省略する。
【００３０】
第２実施形態の端子被覆カバー１１０は、板状部１１１Ａ，１１１Ｂのそれぞれの上下の縁部に、第２蝶番部１１４を介して開閉板状部材１１５が取り付けられている。
端子被覆カバー１１０の取り付け方は第１実施形態と同様で、端子被覆カバー１１０をスマートメータ１に装着する。その後、第２実施形態においては、開閉板状部材１１５を上下に広げて図６（ｂ）に示す状態とする。
これにより、例えば、電気ケーブル８の着脱作業を行う場合は下側の開閉板状部材１１５を開いて作業を行う。着脱作業を行わない場合は、上下の開閉板状部材１１５を閉じたままにしておく。
以上、第２実施形態によると、第１実施形態の効果に加えて、作業時以外は端子部５全体が端子被覆カバー１１０で覆われているので、より安全性が高い。さらに、第１実施形態において通信装置４と一体であったカバー部材７も不要となる。
【符号の説明】
【００３１】
１    スマートメータ
１Ａ    保護カバー
２    計量装置
２Ｃ    端子台取付部
３    端子台
３Ａ    取付ネジ
３Ｂ    端子取付凹溝
４    通信装置
５    端子部
８    電気ケーブル
１０    端子被覆カバー
１１    帯状部
１１Ａ    板状部
１１Ｂ    板状部
１２    固定部
１３    蝶番部
１４    側壁部
１５    切り欠き
５１    計量装置側ネジ挿入部
５２    電気ケーブル側ネジ挿入部
５３    接続部
５４    電気ケーブル挿入孔
６１    計量装置側ネジ
６２    電気ケーブル側ネジ
１１０    端子被覆カバー
１１１Ａ    板状部
１１１Ｂ    板状部
１１４    第２蝶番部
１１５    開閉板状部材
【図１】
2020201214.tif 000003
【図２】
2020201214.tif 000004
【図３】
2020201214.tif 000005
【図４】
2020201214.tif 000006
【図５】
2020201214.tif 000007
【図６】
2020201214.tif 000008